(57)【要約】【課題】下レ−ルの設置施工が容易で引き戸の走行が安定し、且つ、下レ−ルに溜まった誇りゴミ等の掃除が容易な引戸の下レ−ル装置を提供すること。【解決手段】本願発明の引戸の下レ−ル装置は、レ−ル片１の頂部１１の側縁部にその長手方向全長に亘って傾斜面１２を形成し、該レ−ル片１、１を非接触状態で一定間隔をおいて左右に並設すると共に、それぞれの傾斜面１２、１２を相対向させて下レ−ル２を構成し、それぞれの傾斜面１２、１２で引戸３の下端部３１を支承し、引戸３の底面部３３がレ−ル片１、１間に形成された溝下地２１に接触しないよう該引戸３を該下レ−ル２上に走行させることを特徴とする引戸の下レ−ル装置。【選択図】図４
2009167698.tif 000002
【特許請求の範囲】
【請求項１】
レ−ル片の頂部の側縁部にその長手方向全長に亘って傾斜面を形成し、該レ−ル片を非接触状態で一定間隔をおいて左右に並設すると共に、それぞれの傾斜面を相対向させて下レ−ルを構成し、それぞれの傾斜面で引戸の下端部を支承し、引戸の底面部がレ−ル片間に形成された溝下地に接触しないよう該引戸を該下レ−ル上に走行させることを特徴とする引戸の下レ−ル装置。
【請求項２】
上記レ−ル片が中空パイプで形成されるとともにその横断面の外形が略台形である請求項１記載の引戸の下レ−ル装置。
【請求項３】
上記下レ−ルの端部をストッパー体で固定すると共に、該ストッパー体の底面にそれぞれのレ−ル片に対応して形成したレ−ル片形状凹部に、それぞれのレ−ル片端部を嵌合した請求項１記載の引戸の下レ−ル装置。
【請求項４】
上記レ−ル片の長手方向の当接接合部にジョイナーを介在させると共に、該ジョイナーの左右に突設した嵌合部を左右のレ−ル片の中空部に強制嵌合させた請求項２記載の引戸の下レ−ル装置。
【発明の詳細な説明】
【技術分野】
【０００１】
本願発明は引戸の下レ−ルに係り、特に、下レ−ルを一対のレ−ル片で構成し、引戸がガタツキなく円滑に走行できる引戸の下レ−ル装置に関するものである。
【背景技術】
【０００２】
従来、下レ−ルを複数のレ−ル片で構成した引戸の下レ−ル装置の一つに特開平８−３３３９４７号公報に開示されているものがあった。この装置の引き戸下レ−ルは雄部材と雌部材とを別個の部材として形成した後施工現場において両者を組み立てて一本の下レ−ルを構成し、該雄部材と雌部材とで形成される断面Ｖ字形のレ−ル溝で戸車を走行自在に支承するというものであった。
【特許文献１】特開平８−３３３９４７号公報
【発明の開示】
【発明が解決しようとする課題】
【０００３】
上記特許文献１に示された引き戸の下レ−ルは、雄部材と雌部材とを別個の部材として形成した後施工現場において両者をその長手方向に沿って嵌合組み合わせるものであったから、当該部材は厳しい寸法精度が要求されその製造コストが高く付いていた。
【０００４】
また、該下レ−ルのＶ字形のレ−ル溝の幅寸法を施工現場で調整することはできず、戸車や引き戸の寸法に応じて多種類の下レ−ルを準備しておく必要があった。
【０００５】
更に、下レ−ルの施工現場において雄部材と雌部材とをその長手方向に嵌合組み立てていく作業に多くの手間がかかっていた。
【０００６】
更に、Ｖ字形のレ−ル溝に誇りやゴミが溜まり易く、また、その掃除がしにくいという問題があった。
【０００７】
本願は上記問題点に鑑みてなされたものであり、下レ−ルの敷設施工が容易であり、引き戸の走行が安定し、且つ、下レ−ルに溜まった誇りゴミ等の掃除が容易な引戸の下レ−ル装置を提供することを目的とする。
【課題を解決するための手段】
【０００８】
上記課題を解決するために、本願請求項１記載の引戸の下レ−ル装置は、レ−ル片の頂部の側縁部にその長手方向全長に亘って傾斜面を形成し、該レ−ル片を非接触状態で一定間隔をおいて左右に並設すると共に、それぞれの傾斜面を相対向させて下レ−ル２を構成し、それぞれの傾斜面で引戸の下端部を支承し、引戸の底面部がレ−ル片間に形成された溝下地に接触しないよう該引戸を該下レ−ル上に走行させることを特徴とするものである。
【０００９】
本願請求項２記載の発明は、上記請求項１記載の引戸の下レ−ル装置において、上記レ−ル片が中空パイプで形成されるとともにその横断面の外形が略台形であることを特徴とするものである。
【００１０】
本願請求項３記載の発明は、上記請求項１記載の引戸の下レ−ル装置において、上記下レ−ルの端部をストッパー体で固定すると共に、該ストッパー体の底面にそれぞれのレ−ル片に対応して形成したレ−ル片形状凹部に、それぞれのレ−ル片端部を嵌合したことを特徴とするものである。
【００１１】
本願請求項４記載の発明は、上記請求項２記載の引戸の下レ−ル装置において、上記レ−ル片の長手方向の当接接合部にジョイナーを介在させると共に、該ジョイナーの左右に突設した嵌合部を左右のレ−ル片の中空部に強制嵌合させたことを特徴とするものである。
【発明の効果】
【００１２】
本願請求項１記載の引戸の下レ−ル装置は、上記のとおりであり、特に、分離独立した２本のレ−ル片を非接触状態で一定間隔をおいて左右に並設することにより下レ−ルを構成するものであるから、戸車や引戸の幅に応じてレ−ル片の間隔を施工現場で簡単に調整できる。
【００１３】
更に、各レ−ル片は互いに直接組み合わされるものではないから、レ−ル片には高度の寸法精度は要求されず、従って、安価に製造でき、かつ、互いのレ−ル片はそれぞれ独立して床面に取り付けられるものであるから、レ−ル片の敷設施工作業が簡単になる。
【００１４】
また、下レ−ルに形成した相対向するそれぞれの傾斜面で引戸の下端部（戸車の場合を含む）を支承した状態で引戸を走行させるものであるから、引戸の下端部は両傾斜面からの反力で挟持された状態で下レ−ル上を走行することになり、引戸の走行がガタツキなく安定し、脱線しにくいのである。
【００１５】
更に、引戸の底面部はレ−ル片間に形成された溝下地に接触しないから、該引戸の該下レ−ル上の走行が一層円滑になり且つ走行音が小さくなるのである。
【００１６】
また、引戸の下端部は十分に離間した相対向せる傾斜面で挟持されるから、引戸は下レ−ル上を安定走行でき、従って、レ−ル片の高さを低くしても、即ち、傾斜面の位置を低くしても、引戸の安定走行には殆ど支障はない。故に、下レ−ルの高さを低く押えることができるから、本願の引戸の下レ−ル装置はいわゆるバリアフリー用の下レ−ルとして活用できる。
【００１７】
更に、レ−ル片間に形成される溝下地は平面であるから該溝下地に誇りやゴミが溜まった場合でもそれらを簡単に清掃除去できる。
【００１８】
本願請求項２記載の引戸の下レ−ル装置においては、特に、上記レ−ル片が中空パイプで形成されているから、レ−ル片が軽量となり施工時のレ−ル片の取り扱いが容易となると共に、材料節約に基づくコスト低減を図ることができる。
【００１９】
また、レ−ル片が中空パイプであるからレ−ル片の長手方向の相互接続をジョイナー等の接続部材を使用して行う場合該ジョイナーを該中空部に強制嵌合できる。
【００２０】
更に、レ−ル片は台形であるから、下レ−ルの頂部の面積が広くなり、安全でバリアフリー用下レ−ルとして適している。
【００２１】
また、レ−ル片は台形であるから、上からの押圧力に強く、引戸を十分に支承できるとともに、その頂部に比較して底面部の幅が広いから床面に設置したとき倒れや横ずれが起こりにくいのである。
【００２２】
本願請求項３記載の引戸の下レ−ル装置においては、特に、上記下レ−ルの端部をストッパー体で固定し、且つ、該ストッパー体の底面に形成したレ−ル片形状凹部に、それぞれのレ−ル片端部を嵌合しているから、レ−ル片間の間隔が精度よく安定し、引戸の走行中にガタツキや騒音が発生しにくいのである。
【００２３】
また、レ−ル片の最端部はビス固定はできないが、本願においては、ストッパー体でレ−ル片の最端部まで固定できるから、下レ−ルの最端部が不用意に移動しない。
【００２４】
本願請求項４記載の引戸の下レ−ル装置においては、特に、ジョイナーの左右に突設した嵌合部を左右のレ−ル片の中空部に強制嵌合させているから、レ−ル片の長手方向の接合部が強度的に安定すると共に、その接続を簡単に行える。
【００２５】
また、接続のための部品はジョイナーのみでよく、ビス接続を行わないので、専門の作業員でなくても簡単に下レ−ルを床面に敷設できる。
【発明を実施するための最良の形態】
【００２６】
以下、本願発明の引戸の下レ−ル装置について図面を参照して詳細に説明する。図１は本願発明の引戸の下レ−ル装置の第一の実施の形態を示す一部切欠斜視図である。図において、１はレ−ル片であり、２本のレ−ル片１、１を非接触状態で一定間隔をおいて左右に並設するとともに床面Ｆに敷設して下レ−ル２を構成する。レ−ル片１は中空部１３を有する中空パイプからなり、その外形は台形をしている。レ−ル片１の頂部１１の両側縁部にはその長手方向全長に亘って傾斜面１２、１２が形成されている。下レ−ル２が床面Ｆに敷設された状態ではそれぞれの傾斜面１２、１２は長手方向に沿って相対向している。また、レ−ル片１、１の間には床面Ｆを底面とする溝下地２１が形成されている。レ−ル片１はアルミ、ステンレス、その他の金属や合成樹脂で成型される。
【００２７】
図２は上記引戸の下レ−ル装置におけるストッパー体４の斜視図である。図１及び図２に示す如く、ストッパー体４はその底面にその一側面に開口する一対のレ−ル片形状凹部４１、４１が形成されており、該一対のレ−ル片形状凹部４１、４１にそれぞれのレ−ル片１、１の端部が密着して嵌合されている。ストッパー体４に形成したビス孔４２を貫通したビス６でストッパー体４を床面Ｆに固定することによりそれぞれのレ−ル片１、１の最端部が位置決めされる。ストッパー体４は耐摩耗性のある合成樹脂で或いはアルミ等で成型される。
【００２８】
上記の実施の形態では、２本のレ−ル片１、１を並設して１本の下レ−ル２を構成する場合を示したが、３本のレ−ル片を並設して２本の下レ−ルを形成してもよい。この場合中央のレ−ル片は二つの引戸を支承することになる。従って、本願発明においては、レ−ル片１の並設本数は制限されない。
【００２９】
それぞれのレ−ル片１、１は上記の如くその最端部がストッパー体４で床面Ｆに固定されその中間部がビス６で床面Ｆに固定される。レ−ル片１は必要に応じてその長手方向に他のレ−ル片１が当接接合される。この当接接合にはジョイナー５が使用される。
【００３０】
図３はジョイナー５の斜視図である。図１及び図３に示す如く、ジョイナー５の中央に位置している鍔部５２はレ−ル片１の外形形状と同一であり、鍔部５２の両側面には左右に突設した嵌合部５１、５１が形成されている。該嵌合部５１はレ−ル片１の中空部１３の形状と略同形であるがその外形寸法はやや大きくなっており、従って、該嵌合部５１、５１は当接接合されるレ−ル片１、１のそれぞれの中空部１３、１３に強制嵌合されている。レ−ル片１、１が当接接合された状態においては、レ−ル片１の頂部１１と鍔部５２の頂面とは面一となっており引戸の走行に支障が起きないようにしている。嵌合部５１を中空部１３に挿入嵌合し易いようにその先端部を丸めるか若しくは先細にすることが好ましい。ジョイナー５は耐摩耗性のある合成樹脂で或いはアルミ等で成型される。
【００３１】
図４は上記引戸の下レ−ル装置において下レ−ル２の傾斜面１２、１２に引戸３の下端部３１を嵌合載置した状態を示す部分拡大断面図である。同図は引戸３の下端部３１を戸車３２として画いたもので同図中の一点鎖線は、戸車３２の回転軸である。戸車３２の底面部３３と下レ−ル２の溝下地２１（床面Ｆ）との間には隙間Ｇが設けられており、該溝下地２１から戸車３２の底面部３３に不慮の外力が掛からないようにしている。
【００３２】
上記の実施の形態においては、引戸３の下端部３１として戸車３２を用いているが、戸車３２は必ずしも必要ではない。即ち、引戸３の下端部３１の両側縁部を面取りし（図示せず）該面取り部をレ−ル片１、１の両傾斜面１２、１２で挟持支承してもよい。このときは引戸３は下レ−ル２上を摺動走行することになる。この場合においても引戸３の底面部３３と下レ−ル２の溝下地２１（床面Ｆ）との間には隙間Ｇが確保される。
【００３３】
図５は本願発明の引戸の下レ−ル装置の他の実施の形態における下レ−ル２の変形例を示す一部切欠拡大斜視図である。この下レ−ル２も一対の２本のレ−ル片１、１から構成されるが、レ−ル片１の形状は中空部が存在せず即ち底面部が開放されている。レ−ル片１の頂部１１及び傾斜面１２に付いては上記第一の実施の形態におけるレ−ル片１と同じである。図５に示したレ−ル片１はその内部空間に配線できるように配慮したものである。また、このレ−ル片１はその長手方向の当接接合は行わないタイプのレ−ル片である。
【図面の簡単な説明】
【００３４】
【図１】本願発明の引戸の下レ−ル装置の第一の実施の形態を示す一部切欠斜視図。
【図２】上記引戸の下レ−ル装置におけるストッパー体の斜視図。
【図３】上記引戸の下レ−ル装置におけるジョイナーの斜視図。
【図４】上記引戸の下レ−ル装置において下レ−ルに引戸の下端部を嵌合載置した状態を示す部分拡大断面図。
【図５】本願発明の引戸の下レ−ル装置の他の実施の形態における下レ−ルの変形例を示す一部切欠拡大斜視図。
【符号の説明】
【００３５】
１      レ−ル片
１１    レ−ル片の頂部
１２    レ−ル片の傾斜面
１３    レ−ル片の中空部
２      下レ−ル
２１    溝下地
３      引戸
３１    引戸の下端部
３２    引戸の下端部としての戸車
３３    引戸の底面部
４      ストッパー体
４１    ストッパー体のレ−ル片形状凹部
４２    ビス孔
５      ジョイナー
５１    ジョイナーの嵌合部
５２    ジョイナーの鍔部
６      ビス
Ｆ      床面
Ｇ      隙間
【図１】
2009167698.tif 000003
【図２】
2009167698.tif 000004
【図３】
2009167698.tif 000005
【図４】
2009167698.tif 000006
【図５】
2009167698.tif 000007